(57)【特許請求の範囲】
【請求項１】
ケース（２）と、前記ケース（２）のハウジング（１１）内に取り付けられ、大気圧を受けるように前記ハウジング（１１）の内側に露出表面（２２）を有する圧力センサ（１０）とを備え、前記ハウジング（１１）は、前記ケース（２）の外面に開口しており、かつ、大気圧を前記ケース（２）の外側から前記ハウジング（１１）に向けて伝達するように前記ハウジング（１１）の前に少なくとも１つのオリフィス（３２）を備える外壁面（３１）を有するキャップ（１３）によってその開口を閉じる、腕に装着する電子装置であって、
前記ケース（２）の外面（９）が着用者の腕と接触しない前記ケース（２）の側部に配置され、かつ少なくとも１つの保護スクリーン（１４）が、前記キャップ（１３）の１つまたは複数のオリフィス（３２）と前記圧力センサ（１０）の前記露出表面（２２）の間のあらゆる直線連通を防ぐように前記キャップ（１３）の１つまたは複数の前記オリフィス（３２）の後ろで前記ハウジング（１１）内に配置され、それによって前記圧力センサ（１０）の前記露出表面（２２）への大気圧のあらゆる伝達経路が曲がりくねっており、
前記保護スクリーン（１４）は前記キャップ（１３）の前記壁面（３１）にほぼ平行に広がる穴開き板を備え、その穴開き板の穴（４２）は前記キャップ（１３）の各オリフィス（３２）に対して横方向に移動させられており、それによって前記穴開き板の１つまたは複数の前記オリフィス（３２）からの垂直投影（３２ａ）が前記穴（４２）から少なくとも０．７５ｍｍ離れていることを特徴とする装置。
【請求項２】
前記保護スクリーン（１４）は、互いに離れて配置された２枚の平行な前記穴開き板を備え、板内のそれぞれの穴は互いに対して横方向に移動され、それによって他の板の上の板の１枚の前記穴からの前記垂直投影（３２ａ）が板内の穴から離れて配置されていることを特徴とする請求項１に記載の装置。
【請求項３】
前記保護スクリーン（１４）は前記キャップ（１３）の内面上に取り付けられ、周面上に、前記キャップ（１３）の一部を形成する位置決めショルダ（３６）上に係合するように配置された切欠き（４０）を備えることを特徴とする請求項１または２に記載の装置。
【請求項４】
前記保護スクリーン（１４）と前記キャップ（１３）の前記壁面（３１）の間の距離が０．２ｍｍより小さいことを特徴とする請求項１または２に記載の装置。
【請求項５】
前記キャップ（１３）の前記オリフィス（３２）の少なくとも１つが前記キャップ（１３）の中心領域内に配置され、結果的に、前記オリフィス（３２）が前記伝達経路を介して前記圧力センサ（１０）の前記露出表面（２２）と対向した状態になることを特徴とする請求項１乃至４に記載の装置。
【請求項６】
前記圧力センサ（１０）は、ほぼ平らな基板（１７）と、前記圧力センサ（１０）の前記露出表面（２２）を囲む円筒形側壁（２０）を含むポット形構造を含み、前記ハウジング（１１）は円形突出壁面（２６）によって横方向に区切られ、Ｏリング密封ガスケット（１２）が前記円形突出壁面（２６）と前記圧力センサ（１０）の前記円筒形側壁（２０）の間で径方向に圧縮され、前記キャップ（１３）が前記ケース（２）の外側で前記円形突出壁面（２６）を覆い、前記円形突出壁面（２６）の上に係止するように配置されることを特徴とする請求項１乃至５に記載の装置。
【請求項７】
前記圧力センサ（１０）の構造は、前記キャップ（１３）または前記保護スクリーン（１４）に当接する前記円筒形側壁（２０）によって前記ハウジング（１１）内に保持されることを特徴とする請求項５に記載の装置。
【請求項８】
前記ハウジング（１１）は、中心キャビティ（４）内に配置された電子モジュールの可撓性接触ストリップ（４６）が通過するための開口部（２５）を有する底壁面（２４）によって前記ケース（２）の前記中心キャビティ（４）から離されており、前記可撓性接触ストリップ（４６）は前記圧力センサ（１０）に連結された接触子に押し付けられることを特徴とする請求項１乃至７に記載の装置。
【発明の詳細な説明】
【技術分野】
【０００１】
本発明は、腕に着用できる電子装置、より詳細にはケースと圧力センサを含むダイバー用腕時計、測深器または高度計に関する。本装置はケースのハウジング内に取り付けられ、ハウジングの内部に露出して大気圧を受ける表面を有する。ハウジングはケースの外面で開いており、大気圧をケースの外側からハウジングに伝達するようにハウジングの前に少なくとも１つのオリフィスを備える外壁面を有するキャップによって面上で閉じられている。
【背景技術】
【０００２】
ヨーロッパ特許第１９５６３６号に開示されたこのタイプの腕時計が知られており、圧力センサのハウジングはケースの横突起内に設けられ、ケースの上面の上で開いており、それによってセンサを上部から定位置に設置することができる。現在最も普通である一構造によると、圧力センサはポット形構造内に格納され、水の影響から保護するようにシリコン・ゲルで囲まれたシリコン製の圧電−抵抗要素を備えている。このゲルはまた、シリコン樹脂またはゴムの可撓層で被覆されており、センサの露出表面を形成し、大気圧を圧電−抵抗要素に伝達する。上記のように、リセスを閉じるキャップは穴開き円形板によって形成されている。板のオリフィスは、シリコン要素とこの要素を囲むゲルに対向しないようにその周面に沿って配置されている。この配置の目的は、これらのオリフィスに嵌合する異物がシリコン要素またはゲルを損傷することのないようにすることである。
【０００３】
しかし、このような配置は２つの欠点を有する。一方では、それはオリフィスがセンサによって占められた中心領域の外側にあるように閉板を大きくしなければならないことを意味する。もう一方では、シリコン要素は太陽光に長期間晒されるのを避けることが望ましいが、これ以前に説明した構成はセンサ内の光の拡散を十分には止めない。
【０００４】
ヨーロッパ特許第６７７７９８号は、これ以前の導入部で示したタイプの腕時計を開示しているが、腕時計のケースの背部でキャビティ内に配置されたパイプは圧力センサ用ハウジングを形成する。センサへの大気圧の伝達を遮る着用者の腕に対してケースを押し付けるのを防ぐため、ケースの背部は溝を含むが、ハウジングは着用者の腕に対する押し付け、カバーの後ろの溝とセンサ・ハウジングの間、またはその横開口部を通る連通を残すように、外側にケースの背部を備える支持表面と面一を有するカバーまたは蓋によって覆われている。このような構造は、腕時計の厚さが大きくなることにつながる欠点を有する。一方、特に腕時計が腕にない場合に、センサに到達する太陽光を防ぐようには配置されていない。
【特許文献１】ヨーロッパ特許第１９５６３６号
【特許文献２】ヨーロッパ特許第６７７７９８号
【発明の開示】
【発明が解決しようとする課題】
【０００５】
本発明の目的は、センサをハウジング内に取り付けるための部材の特に簡単かつ効率的な配置により、従来技術の上記欠点を克服することである。１つの特定の目的は、特に自動組立を考慮してセンサとこれに関連する装置の部品の組立を大幅に簡単にするように部材を設計することである。
【課題を解決するための手段】
【０００６】
本発明はしたがって、前に示したタイプの携帯用電子装置に関し、外面が着用者の腕に接触しないケースの側部に配置され、かつ、少なくとも１つの保護スクリーンが、キャップの１つまたは複数のオリフィスと圧力センサの露出表面の間のあらゆる直線連通を防ぎ、センサの露出表面に対する大気圧の伝達経路が折り曲げられているように、キャップの１つまたは複数のオリフィスの後ろでハウジング内に配置されることを特徴とする。
【０００７】
したがって、本発明に設けられた保護スクリーンは、例えば圧力センサのハウジングを
閉じるキャップの下に注意深く配置された穴を有する板を追加した、極めて単純かつ小型
である構成で、センサ用の、すなわち固体物と光に対する二重の保護を提供する。さらに
、この構成により有利には、キャップの１つまたは複数の外側オリフィスをセンサの露出
表面の前、したがってキャップの中心領域内に配置することが可能になり、キャップの外
側寸法と視覚的影響を少なくすることが可能になる。センサ・ハウジングを備えるケース
の側部は、ケースの横面または上面であってもよい。
【０００８】
非常に簡単かつ安価な実施形態によると、特にキャップが成形されたプラスチック部である場合、保護スクリーンをキャップの前記壁面にほぼ平行に延びる穴開き板によって形成することができ、穴開き板内の穴はキャップの各オリフィスに対して横方向に移動され、それによって穴開き板の上の１つまたは複数のオリフィスの垂直投影が中の穴とは離れて配置されている。
【発明を実施するための最良の形態】
【０００９】
本発明の他の特徴と利点は、添付の図面を参照した非限定的な例によって与えられた、現時点で好ましい実施形態の以下の説明を使用してより良く理解されるだろう。
【００１０】
図１から４を参照すると、ダイビング用腕時計１は、特に電子時計ムーブメントと、ケースの外側に設けられた大気圧に敏感な圧力センサと、圧力データを処理し、表示手段を介して結果を表示するアナログおよび／またはデジタル表示部材と、電子回路とを含む剛性のある合成材料からできたケース２を有する。ケース２は、合成材料から作られた中間部３を含み、背部カバー５（図４）によって底部で閉じられ、またベゼル７に縁取られたガラス６によって上部で閉じられる中心キャビティ４（図４）を囲んでいる。中心キャビティ４は、腕時計の主な電子回路を設けたダイビング用腕時計の主な部品、特にプリント基板８を含む。
【００１１】
図２と４から特に分かるように、圧力センサ１０は中間部３内に配置され、ケース２の左側外面９に開口しているハウジング１１内に配置され、それによってセンサをケースの外側からハウジング内に取り付けることができる。センサ１０は図２に示すように２つの要素、すなわちＯリング密封ガスケット１２とキャップ１３を使用して、このハウジング内に保持され、またキャップ１３内に取り付けられた穴開き板１４によって形成されたスクリーンによって保護されている。外側で、キャップ１３の表面は必ずではないが、ケースの外側横面９と同一平面であることが好ましい。この面は、腕時計が装着されている場合には使用者の腕１５と接触せず、それによって大気圧は空気中または水中であっても干渉されることなくキャップのこの表面に到達する。
【００１２】
圧力センサ１０の構成は知られている。この構造は、基板の背部に配置された突起と接触するように要素１６を連結する導体を備えるセラミック材料からできた四角形基板１７上に取り付けられた、シリコン製の圧電−抵抗要素１６を備えている。これらの突起は、基板１７の後ろに設けられたプリント回路フィルム１８と接触する。センサ１０はさらに、基板１７の前面に固定され、ポット形構造を基板とともに形成する円筒形側壁２０を含み、ポット型構造はシリコン要素１６を囲み、その要素１６は大気圧を受けるように、前面２２がセンサの露出表面を形成するシリコン・ゲル２１内に囲まれている
【００１３】
特に図３から分かるように、ケースの中間部でセンサに設けられたハウジング１１は、平坦でほぼ四角形の底壁面２４を有し、これにセンサ構造とプリント回路フィルム１８が当接させられている。底壁面２４にはハウジング１１と中心キャビティ４の間の連通を形成する開口部２５が配置されている。ハウジング１１は、外表面上に不連続な径方向縁部２７を有する円形突出壁面２６によって横方向で区切られている。この縁部は、止め案内穴２９を備える１つのセクタを除いて、周面全体にわたって壁面２６を囲む溝２８内に延びている。
【００１４】
エラストマー密封ガスケット１２は、センサの側壁面２０の周りに配置され、この壁面とハウジング１１の突出壁面２６の間で径方向に圧縮される。したがって、このガスケットは、密封を行うだけでなく、ケースが受ける可能性のあるあらゆる衝撃に対してセンサを保護する弾性サスペンションを提供する。
【００１５】
特に図２と５から分かるように、キャップ１３は成形された合成材料の半透明部分である、または半透明コーティングを備えていることが好ましい。その中心領域には、可変厚さの円形板の形の外壁面３１を備え、これを３本のオリフィス３２が通っている。この例では約１．５ｍｍの直径を有する。これらのオリフィスはそれぞれ凹形表面３３となるように外側に広がっている。その効果は装飾と機能の両方であり、オリフィスが平坦な異物によって簡単に遮られるのを防ぐ。内面上に、キャップの壁面３１は保護板１４を押す突出表面３４と３５と、板を横方向に楔止めする横ショルダ３６と、機能が以下で分かる３つの小突起とを有する。キャップ１３の周面は、センサ・ハウジングの壁面２６の外縁部２７の上に係止するように配置された円形縁部３８を含み、それによってキャップ１３はケース２の上に簡単にスナップ嵌合することができる。したがって、キャップはしっかり固定されるが、センサ１０を変えなければならない場合取り除くことができる。キャップはさらに、キャップの適切な方向、したがって３つのオリフィス３２の所望の位置を保証するように穴２９内に係合する案内フィンガ３９を備える。
【００１６】
図６は、この例ではかなり剛性のある合成材料、例えばＫａｐｔｏｎ（登録商標）から作られた単純な円形板である保護板１４の構造をより詳細に示すが、特に海水がある場合には、耐腐食性のどんな剛性材料で作ることもできる。３つの向きリセス、すなわち切欠き４０はキャップ１３のショルダ３６と協働し、識別リセス４１はキャップ内の板の機械化された位置決めのために使用される。板を手動で定位置に設置した場合、リセス４１を視覚的識別に使用することもできる。小さな突出部４４（図５）が、弾性により板１４を保持するようにキャップの内側に形成されている。
【００１７】
板１４は、大気圧をセンサ１０に向けて伝達することができるように複数の穴４２が設けられている。この例では、２０個ほどの穴４２が約０．５ｍｍの直径を備えている。これらの穴は全て、キャップ１３のオリフィス３２に対して横方向にかなり移動されされており、板１４上のこれらのオリフィスの垂直に投影された位置が３つの円３２ａによって図６に示されている。穴４２は、円３２ａの１つから０．７５ｍｍより小さく配置されるものがないように板１４の上に分配される。穴４２の３つはカバーの小突起３７がそれらを通過するように配置され、小突起はハウジング内にセンサを保持するため、センサ１０の円筒形壁面２０の前面に当接することができることにも留意されたい。
【００１８】
キャップ１３内の定位置に設置されると、保護板１４はキャップの壁面３１から約０．１ｍｍの一定距離である。したがって、ケース２の外側に拡がる大気圧は、キャップのオリフィス３２を通って、その後板１４と３１の間の０．１ｍｍの間隙を通過し、最後に板１４の穴４２を通過してセンサのハウジング１１に到達し、センサ１０の露出表面２２に伝達される。したがって、センサの露出表面２２に対する大気圧の伝達経路全体は極めて曲がりくねっている。一方では、特に２枚の板の間の間隙は極めて小さいので、これにより異物の進入によってセンサが損傷する危険がなくなる。砂の粒子などの異物が進入するのを防ぐため、この間隙の厚さは０．２ｍｍより小さいことが好ましい。もう一方では、これによりセンサは外光から大幅に保護されたままになり、それによってシリコン要素を囲むゲル２１は半透明とする必要も、または半透明膜で被覆されている必要はない。もちろん、板１４と３１がこのような経路に沿って暗い色を有する場合、大気圧の伝達経路に沿った光の伝達をさらに少なくすることができる。
【００１９】
したがって、保護板１４は、製造と組み立てが非常に効率的でかつ非常に簡単であるスクリーンを形成して、異物とセンサに向かう周辺光の進入を防ぐことが分かる。このタイプのスクリーンのかなりの利点は、キャップ１３の１つまたは複数のオリフィス１３をセンサの露出表面２２に向けて、さらにキャップの中心に位置決めすることができ、これによってキャップの外側寸法、この場合は直径を最小限に小さくすることである。腕時計の全体的な美観を損なうことなく圧力センサをケースの側面内に目立たないように配置することができるので、この態様は本発明を腕時計に適用した場合に特に有利である。
【００２０】
図４では、圧力センサ１０と腕時計の主なプリント基板８の間の電気接続が、４つの可撓性接触ストリップ４６により達成されることが分かるであろう。このストリップは、合成絶縁材料のブロック４７内に成形によって囲まれており、そのブロックの他の側から突出し基板８の回路へ結合されて接続されているラグ４８の形をしている。ブロック４７は、ムーブメントを担持する板５０への熱溶接によって固定される脚部４９と、さらに板５０と基板８に対して適切に位置決めするための示されていない他の脚部とを備えている。
【００２１】
可撓性ストリップ４６は、開口部２５を通して延び、センサが衝撃の影響により僅かに移動した場合でも、センサの電気出力信号の適切な伝達を確保するように、センサ１０と背中合わせに配置されたプリント回路１８の接触領域に、それらの弾性によって接続させられている。しかし、この配置の主な利点は腕時計の部品の組立が簡単になるということである。例えば、腕時計の全体的な組立、特に中心キャビティ４内の部品の組立が開始される前に、圧力センサ１０をケースの中間部３内に取り付け、キャップ１３により中に固定しておくことができる。組立中に、基板８上に予め組み立てられた電子モジュールをその後、キャビティ内に配置することができ、それによって可撓性接触ストリップ４６はセンサ１０との適切な電気接触を自動的に確立する。逆に、特にセンサの組立前に接触ストリップ４６を使用して試験を行いたい場合に、腕時計の内側要素を組み立てた後で、圧力センサ１０を中間部３内に配置することを選択することができる。
【００２２】
もちろん、別の既知の方法、例えば基板８内にプラグ接続されたフラット・ケーブルにより開口部２５を通して要素８と１０の間の電気接続を実現することも可能である。
【００２３】
図面を参照して上に説明した保護スクリーンは単純な穴開き板を追加することによって形成されるが、特許請求の範囲によって規定される本発明から逸脱することなく異なるように達成することができる。例えば、保護スクリーンは互いに間隔を置いて配置された２つの平行な穴開き板を含み、板内のそれぞれの穴は互いに対して横方向に移動させられ、それによって他の板の上の板の１枚からの穴の垂直投影が板の穴から離れて配置されている。別の変更形態では、保護スクリーンは単純な板より厚い平坦要素を含み、その厚さに、中間平面内に延び、その端部がそれぞれ前記要素の２つの面の上に開口する複数の経路を含むことができる。成形された合成材料の２枚の板を組み立てることによって、このような要素を簡単に作ることができ、経路は板の１枚の一表面上に形成される。
【００２４】
本発明の応用例は、上に述べた例に限るものではないが、装置のケースの外面の上に開口しているハウジング内に取り付けられた圧力センサ、例えば高度計またはダイビング用コンピュータを含むあらゆる携帯型の電子装置に及ぶ。
【図面の簡単な説明】
【００２５】
【図１】本発明の原理にしたがって配置され、圧力センサを含む腕時計の側面図である。
【図２】圧力センサと図１の腕時計内に取り付けるための要素を示す展開斜視図である。
【図３】圧力センサ用ハウジングの前面図である。
【図４】図１の線ＩＶ−ＩＶに沿った、腕時計の部分断面図である。
【図５】図２に示されたキャップの後面の斜視図である。
【図６】図２に示された保護板の正面図である。
【符号の説明】
【００２６】
１  腕時計、２  ケース、４  中心キャビティ、５  背部カバー、６  ガラス、７  ベゼル、８  プリント基板、９  左側外面、１０  センサ、１１  ハウジング、
１３  キャップ、１４  穴開き板、１６  圧電−抵抗要素、１７  基板、１８  プリント回路フィルム、２０  円筒形側壁、３２  オリフィス、３３  凹形表面、３４  突出表面、３５  突出表面
【図１】
0004813792.tif 000002
【図２】
0004813792.tif 000003
【図３】
0004813792.tif 000004
【図４】
0004813792.tif 000005
【図５】
0004813792.tif 000006
【図６】
0004813792.tif 000007